(57)【要約】【課題】従来の技術としては、構造上、片手で簡単に音を出すことはできるが、それ以外の応援方法等はできないものである。また、音は出るもので、主な特徴は投げても遠くへ飛ばないものである。【解決手段】２板の打板の一方の打板の下部に凸部を設け、もう一方の打板の下部に凹部を設け、凸部と凹部で連結部を構成し、角度を変えることにより応援方法を変えることを特徴とする。【選択図】図１
2013212334.tif 000002
【特許請求の範囲】
【請求項１】
２板の打板の一方の打板の下部に凸部を設け、もう一方の打板の下部に凹部を設け、凸部と凹部で連結部を構成し、角度を変えることにより応援方法を変えることを特徴とする応援グッズ。
【請求項２】
打板が、しゃもじ形またはうちわ形をしてなることを特徴とする請求項１記載の応援グッズ。
【請求項３】
凸部と凹分を外し、右手と左手に打板を持ち、たがいに叩いて応援することを特徴とする請求項１又は２記載の応援グッズ。
【請求項４】
凸部と凹分を連結し、打板を角度３０°から角度６０°までに開いた状態で、うちわとしても使用できることを特徴とする請求項１又は２記載の応援グッズ。
【請求項５】
凸部と凹分を連結し、打板２枚を重合させ、ひざやもう一方の手で叩いて応援することを特徴とする請求項１又は２記載の応援グッズ。
【請求項６】
打板に色付したり、シールを貼り付けたりすると共に、ひもを設けてなることを特徴とする請求項１、２、３、４又は５記載の応援グッズ。
【発明の詳細な説明】
【技術分野】
【０００１】  本発明は、３種類以上の応援ができる応援グッズに関するものである。
【背景技術】
【０００２】  従来の技術として、各打片の中央部に緩やかに突出した山部を設け、一方の打片に設けた山部と他方の打片に設けた山部とは、隙間を形成し、両打片の外表面部は、平面部が形成され、各打片の後方は一体化された保持部を形成したことを特徴とする応援グッズがある。（特許文献１参照）【０００３】  また、別の従来技術として、略四角枠状の本体部と、該本体部に固定されたシート状の音発生部材と、を備えて構成され、該本体部は、一対の左右枠部と、一対の上下枠部と、該下枠部から該外側方向に延びる柄部と、を備え、該音発生部材は、該左右枠部及び該上下枠部で構成される平面を略直交方向に出入りする、振動運動可能な可撓性を有したシート材からなり、弛みを有するように該左右枠部に端部を接合され、該上下枠部に対して隙間を有して装着され、該音発生部材の該上枠側の端部の該弛みガ、該音発生部材の該下枠側の端部の該弛みより大きいことを特徴とする音出し用応援グッズがある。（特許文献２参照）
【先行技術文献】
【特許文献】
【０００４】
【特許文献１】  実用新案登録第３１４３５８１号公報
【特許文献２】  実用新案登録第３１５４２５９号公報
【発明の概要】
【発明が解決しようとする課題】
【０００５】  上記前者の場合、その構造上、片手で簡単に音を出すことはできるが、それ以外の応援方法等はできないものである。【０００６】  また、上記後者の場合は、音は出るもので、主な特徴は投げても遠くへ飛ばないものであり、本発明のような機能・効果は有していない。【０００７】  本発明は、このような従来の構成が有していた問題を解決しようとするものであり、凸部と凹部を外すことにより、右手と左手に打板を持ち、叩くことができる。また、凸部と凹部を連結し、角度を３０°〜６０°にすることにより、うちわとして使用できる。さらに、打板を重合させて応援する等色々な応援方法を提供することを目的とする。
【課題を解決するための手段】
【０００８】  本発明は、上記目的を達成するため、２板の打板の一方の打板の下部に凸部を設け、もう一方の打板の下部に凹部を設け、凸部と凹部で連結部を構成し、角度を変えることにより応援方法を変えること。打板が、しゃもじ形またはうちわ形をしてなること。凸部と凹分を外し、右手と左手に打板を持ち、たがいに叩いて応援すること。凸部と凹分を連結し、打板を角度３０°から角度６０°までに開いた状態で、うちわとしても使用できること。凸部と凹分を連結し、打板２枚を重合させ、ひざやもう一方の手で叩いて応援すること。打板に色付しシールを貼り付けたりすると共に、ひもを設けてなることを特徴とする。
【発明の効果】
【０００９】１）、２板の打板を連結して、角度を変えることにより、その場、その場のシーンにより色々な応援方法を変えることができる。
２）、打板をしゃもじ形にすることにより、“相手をめし取る”を合言葉に応援に力が入る。
３）、凸部と凹部を外し、右手と左手に打板を持ち、叩くことにより、力強い音を出すことができる。
４）、角度を３０°から６０°にすることにより、うちわ（うちわ形）としても使用でき、“あっぱれあっぱれ”の応援グッズとしても使用できる。
５）、打板を重合させることにより、ひざやもう一方の手で叩くことにより、かろやかな音を出すことができる。
６）、打板に色をつけることによりチームカラーで、オリジナル商品ができ、また、シールにより必勝等の文字で応援することができ、かつ、ひもにより、打板がバラケルことがない。
【図面の簡単な説明】
【００１０】
【図１】  本発明の応援グッズの打板を分離した状態を示す正面図。
【図２】  本発明の応援グッズの打板を分離した状態を示す連結部の拡大断面図。
【図３】  本発明の応援グッズの凸部と凹部を差し込んだ状態を示す正面図。
【図４】  本発明の応援グッズの凸部と凹部を差し込んだ状態を示す連結状態拡大図。
【図５】  本発明の応援グッズのうちわとして使用する時の正面図。
【図６】  本発明の応援グッズのうちわとして使用する時の連結状態拡大図。
【図７】  本発明の応援グッズの打板を重合させた状態を示す正面図。
【図８】  本発明の応援グッズの打板を重合させた状態を示す連結状態拡大図。
【図９】  本発明の応援グッズの打板を重合させた状態を示す側面図。
【図１０】  本発明の応援グッズの第１応援状態図。
【図１１】  本発明の応援グッズの第２応援状態図。
【図１２】  本発明の応援グッズの第３応援状態図。
【発明を実施するための形態】
【００１１】応援グッズ１は、しゃもじ形またはうちわ形に形成した２板の打板２・３の下部に、凸部４ａと凹部４ｂからなる連結部４を設けると共に、ひも５を設けてある。
なお、凸部４ａは、上部に係止片４ａ１を形設してある。
また、凹部４ｂは、貫通孔４ｂ１と係止溝４ｂ２とから構成される。（図１・図２参照）
【００１２】  上記応援グッズ１の連結部の連結手順について説明する。
まず、打板２と打板３の角度Ｋを９０°とし、凸部４ａを凹部４ｂの貫通孔４ｂ１より挿入し、回転させることにより、係止固定するものである。（図３・図４参照）
【００１３】  上記応援グッズ１をうちわとして使用（応援）する場合の連結手順について説明する。
上記のように、回転させて、係止固定する時、係止片４ａ１の下面が係止溝４ｂ２の上面に圧着させる。
この状態で、打板２と打板３の角度Ｋ１を約４０°にすることによりうちわとして使用できると共に、応援用（手を振る等）としても使用できる。（図５・図６参照）
【００１４】  応援グッズ１の打板２・３を重合させる場合は、打板２と打板３の角度を０°にすればよく、この時係止片４ａ１が係止溝４ｂ２の中央に位置するものである。（図７・図８参照）
なお、重合した時、打板２と打板３は先端部が反るように形成されており、適度な空間部ＫＫを形成する。（図９参照）
【００１５】  つぎに、応援グッズ１を使用しての応援例について説明する。
打板２と打板３を分離（外し）し、右手Ｍと左手Ｈに持ち、叩くことにより力強い音を出して応援することができる。（図１０参照）
【００１６】  打板２と打板３の角度を４０°位にすることにより、うちわとして使用できると共に、例えば野球の試合の場合、選手が近づいて来た時、「あっぱれ！あっぱれ！」と応援するものである。（図１１参照）
【００１７】  打板２と打板３を重合させた場合は、主にひざに当てて音を出して応援するものである。（図１２参照）
【００１８】  上記実施例において、材質はプラスチック製とするが、特に限定するものではない。
また、大きさ等においても同様である。
さらに、連結部においても同様な機能対応であれば、多少の形態変更はかまわない。
さらにまた、打板２・３の表や裏に例えば、必勝の文字を印刷したシールを貼り付け、打板２・３を適宜開いて文字を見せて応援することもできる。
【符号の説明】
【００１９】１−−−応援グッズ
２−−−打板
３−−−打板
４−−−連結部
【図１】
2013212334.tif 000003
【図２】
2013212334.tif 000004
【図３】
2013212334.tif 000005
【図４】
2013212334.tif 000006
【図５】
2013212334.tif 000007
【図６】
2013212334.tif 000008
【図７】
2013212334.tif 000009
【図８】
2013212334.tif 000010
【図９】
2013212334.tif 000011
【図１０】
2013212334.tif 000012
【図１１】
2013212334.tif 000013
【図１２】
2013212334.tif 000014